【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】  重合条件下に、少なくとも１種又はそれ以上のオレフィンを、置換又は非置換のシクロペンタジエニル、置換又は非置換のペンタジエニル、置換又は非置換のピロール、置換又は非置換のホスホール、置換又は非置換のアルソール、置換又は非置換のボラタベンゼン及び置換又は非置換のカルボランから選択された少なくとも１種の部分を有する、少なくとも１種の遷移金属成分並びに少なくとも１種の助触媒成分を含んでなる少なくとも１種のメタロセン触媒並びに
（ａ）ゲルマニウム、スズ及び鉛の酸化物；
（ｂ）シアノーゲン（Ｃ2Ｎ2）；
（ｃ）式ＣＥ又はＣ3Ｅ2（式中、Ｅ＝Ｏ及びＮＲ，Ｒは、水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の炭素の酸化物又はイミド；
（ｄ）炭素、ケイ素、ゲルマニウム、スズ及び鉛の、硫黄、セレン又はテルル含有カルコゲニド；
（ｅ）１個より多いカルコゲンを含有する、炭素、ケイ素、ゲルマニウム、スズ及び鉛のカルコゲニド；
（ｆ）式Ｃ（Ｅ)(Ｘ）（式中、Ｅ＝Ｏ，Ｓ，Ｓｅ，Ｔｅ又はＮＲ，Ｘ＝ＮＲ′（式中、Ｒ及び／又はＲ′は水素、ハロゲン、５０個以下の非水素原子を含有するアルキル基、５０個以下の非水素原子を含有するアリール基、５０個以下の非水素原子を含有するシリル基又は５０個以下の非水素原子を含有するボリル基である））を有する、炭素、ケイ素、ゲルマニウム、スズ及び鉛のカルコゲニドイミド；
（ｇ）式Ｃ（Ｅ）Ｘ2 （式中、Ｅ＝Ｏ，Ｓ，Ｓｅ，Ｔｅ及びＮＲ，Ｒは水素、ハロゲン、５０個以下の非水素原子を含有するアルキル基、５０個以下の非水素原子を含有するアリール基、５０個以下の非水素原子を含有するシリル基又は５０個以下の非水素原子を含有するボリル基であり、そしてＸはハロゲンである）の、炭素、ケイ素、ゲルマニウム、スズ及び鉛のカルコゲニルハライド又はイミドハライド；
（ｈ）リン、ヒ素、アンチモン及びビスマスの元素形；
（ｉ）窒素、リン、ヒ素、アンチモン及びビスマスの酸化物；
（ｊ）窒素オキソ酸又はそのアニオンを含有する塩；
（ｋ）式ＥnＸm（式中、Ｅは窒素、リン、ヒ素、アンチモン又はビスマスであり、そしてＸはハロゲン又は擬ハロゲンであり、ｎ＝１〜１０、そしてｍ＝１〜２０）のハロゲン化物；
（ｌ）一般式ＥnＹm（式中、Ｅ＝Ｎ，Ｐ，Ａｓ，Ｓｂ及びＢｉ；Ｙ＝Ｓ，Ｓｅ，Ｔｅ及びＮＲ；ｎ＝１〜１０；ｍ＝１〜４０、そしてＲは水素、ハロゲン、５０個以下の非水素原子を含有するアルキル基、５０個以下の非水素原子を含有するアリール基、５０個以下の非水素原子を含有するシリル基又は５０個以下の非水素原子を含有するボリル基である）の、窒素、リン、ヒ素、アンチモン及びビスマスのカルコゲニド又はイミド；
（ｍ）式ＥnＹmＸq （式中、Ｅ＝Ｎ，Ｐ，Ａｓ，Ｓｂ及びＢｉ；Ｙ＝Ｏ，Ｓ，Ｓｅ，Ｔｅ及びＮＲ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基であり、ｎ＝１〜２０；ｍ＝１〜４０；ｑ＝１〜４０、そしてＲは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）を有する窒素、リン、ヒ素、アンチモン及びビスマスのカルコゲニル又はイミド化合物；
（ｎ）インタープニクトゲン；
（ｏ）一般式（ＮＰＲ2)x （式中、Ｒ＝ハロゲン又は５０個以下の非水素原子を含有するアルキル若しくはアリール基、そしてｘは少なくとも２である）のホスファゼン；
（ｐ）一般式Ａ（Ｅ）Ｘ3 （式中、Ａ＝Ｐ，Ａｓ、Ｓｂ及びＢｉ；Ｅ＝ＮＲ又はＣＲ2 ；Ｒは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基であり、そしてＸは、水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｑ）水素化プニクトゲン；
（ｒ）酸素、硫黄、セレン及びテルルの元素形；
（ｓ）インターカルコゲン；
（ｔ）式ＥnＸm（式中、Ｅ＝Ｏ，Ｓ，Ｓｅ及びＴｅ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基であり、ｎ＝１〜１０、ｍ＝１〜２０）の１個又はそれ以上のカルコゲン及び１個又はそれ以上のハロゲンを含有する化合物；
（ｕ）一般式ＥＯＸ2 （式中、Ｅ＝Ｏ，Ｓ，Ｓｅ及びＴｅ；Ｘは、水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｖ）一般式ＥＯＸ4 （式中、Ｅ＝Ｓ，Ｓｅ及びＴｅ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｗ）一般的ＥＯ2Ｘ2（式中、Ｅ＝Ｓ，Ｓｅ及びＴｅ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｘ）硫黄−窒素化合物；
（ｙ）式Ｓ（ＮＲ）n Ｘm （式中、ｎ＝１〜３；ｍ＝０〜６；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基であり、そしてＲは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｚ）硫黄オキソ酸、ペルオキソ酸及びそれらのアニオンを含有する塩；
（ａａ）セレンオキソ酸、ペルオキソ酸及びそれらのアニオンを含有する塩；
（ｂｂ）テルルオキソ酸、ペルオキソ酸及びそれらのアニオンを含有する塩；
（ｃｃ）水素化カルコゲン；
（ｄｄ）フッ素、塩素、臭素、ヨウ素及びアスタチンの元素形；
（ｅｅ）インターハロゲン、そのカチオンを含有する塩及びそのアニオンを含有する塩；
（ｆｆ）ポリハロゲン化物カチオン及び／又はアニオンを含有する塩；
（ｇｇ）ホモレプチック又はヘテロレプチックハロゲンオキシド、そのカチオンを含有する塩及びそのアニオンを含有する塩；
（ｈｈ）オキソ酸又はそれらのアニオンを含有する塩；
（ｉｉ）ハロゲン化水素；
（ｊｊ）ＮＨ4 Ｆ，ＳＦ4 ，ＳｂＦ3 ，ＡｇＦ2 ，ＫＨＦ2 ，ＺｎＦ2 ，ＡｓＦ3 、及びＨＦ2-アニオンを含有する塩；
（ｋｋ）ヒドロハリック酸；
（ｌｌ）Ｈｅ，Ｎｅ，Ａｒ，Ｋｒ，Ｘｅ及びＲｎオキシド、それらのカチオンを含有する塩及びそれらのアニオンを含有する塩；
（ｍｍ）Ｈｅ，Ｎｅ，Ａｒ，Ｋｒ，Ｘｅ及びＲｎハライド、それらのカチオンを含有する塩及びそれらのアニオンを含有する塩；
（ｎｎ）Ｈｅ，Ｎｅ，Ａｒ，Ｋｒ，Ｘｅ及びＲｎカルコゲニルハライド、それらのカチオンを含有する塩及びそれらのアニオンを含有する塩；
（ｏｏ）水、アルコール、硫化水素及びチオールからなる群から選択された物質と、上記の化合物及び対応アニオンを含有するそれらの塩の何れかとを反応させることによって得られた生成物；
（ｐｐ）有機過酸化物；
（ｑｑ）水並びに
（ｒｒ）これらの混合物
からなる群から選択された化合物と接触させることを含んでなる、少なくとも１種又はそれ以上のオレフィンの重合方法であって、その化合物が、得られるポリマー生成物の分子量分布が、その化合物の不存在下に得られる、２よりも大きい分子量分布を有するポリマー生成物よりも狭くなるのに十分な量で、存在する方法。
【請求項２】  少なくとも１種の遷移金属成分の金属が、本明細書で定義した元素の周期表の第３族、第４族、第５族、第６族、第７族、第８族、第９族及び第１０族から選択させる請求項１に記載の方法。
【請求項３】  金属がチタン、ジルコニウム及びこれらの混合物からなる群から選択される請求項２に記載の方法。
【請求項４】  メタロセン触媒が担体に担持されている請求項１に記載の方法。
【請求項５】  ハロゲン化炭化水素を重合媒体に更に添加する請求項１に記載の方法。
【請求項６】  少なくとも１種又はそれ以上の有機金属化合物を重合媒体に更に添加する請求項１に記載の方法。
【請求項７】  有機金属化合物が有機アルミニウム化合物である請求項６に記載の方法。
【請求項８】  化合物が一酸化窒素、二酸化窒素、一酸化二窒素、三酸化二窒素、四酸化二窒素及び五酸化二窒素からなる群から選択された酸化窒素である請求項１に記載の方法。
【請求項９】  酸化窒素が一酸化二窒素である請求項８に記載の方法。
【請求項１０】  化合物が１気圧の圧力及び２０℃で液体又は固体であり、これを０．００１：１〜１００：１の範囲内の、メタロセン触媒の遷移金属成分に対する化合物のモル比で重合媒体中に存在させる請求項１に記載の方法。
【請求項１１】  化合物が１気圧の圧力及び２０℃で気体であり、これを１体積ｐｐｍ〜１０，０００体積ｐｐｍの範囲内の量で重合媒体中に存在させる請求項１に記載の方法。
【請求項１２】  重合条件下に、少なくとも１種又はそれ以上のオレフィンを、置換又は非置換のシクロペンタジエニル、置換又は非置換のペンタジエニル、置換又は非置換のピロール、置換又は非置換のホスホール、置換又は非置換のアルソール、置換又は非置換のボラタベンゼン及び置換又は非置換のカルボランから選択された少なくとも１種の部分を有する、少なくとも１種の遷移金属成分並びに少なくとも１種の助触媒成分を含んでなる少なくとも１種のメタロセン触媒並びに
（ａ）ゲルマニウム、スズ及び鉛の酸化物；
（ｂ）シアノーゲン（Ｃ2Ｎ2）；
（ｃ）式ＣＥ又はＣ3Ｅ2（式中、Ｅ＝Ｏ及びＮＲ，Ｒは、水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の炭素の酸化物又はイミド；
（ｄ）炭素、ケイ素、ゲルマニウム、スズ及び鉛の、硫黄、セレン又はテルル含有カルコゲニド；
（ｅ）１個より多いカルコゲンを含有する、炭素、ケイ素、ゲルマニウム、スズ及び鉛のカルコゲニド；
（ｆ）式Ｃ（Ｅ)(Ｘ）（式中、Ｅ＝Ｏ，Ｓ，Ｓｅ，Ｔｅ又はＮＲ，Ｘ＝ＮＲ′（式中、Ｒ及び／又はＲ′は水素、ハロゲン、５０個以下の非水素原子を含有するアルキル基、５０個以下の非水素原子を含有するアリール基、５０個以下の非水素原子を含有するシリル基又は５０個以下の非水素原子を含有するボリル基である））を有する、炭素、ケイ素、ゲルマニウム、スズ及び鉛のカルコゲニドイミド；
（ｇ）式Ｃ（Ｅ）Ｘ2 （式中、Ｅ＝Ｏ，Ｓ，Ｓｅ，Ｔｅ及びＮＲ，Ｒは水素、ハロゲン、５０個以下の非水素原子を含有するアルキル基、５０個以下の非水素原子を含有するアリール基、５０個以下の非水素原子を含有するシリル基又は５０個以下の非水素原子を含有するボリル基であり、そしてＸはハロゲンである）の、炭素、ケイ素、ゲルマニウム、スズ及び鉛のカルコゲニルハライド又はイミドハライド；
（ｈ）リン、ヒ素、アンチモン及びビスマスの元素形；
（ｉ）窒素、リン、ヒ素、アンチモン及びビスマスの酸化物；
（ｊ）窒素オキソ酸又はそのアニオンを含有する塩；
（ｋ）式ＥnＸm（式中、Ｅは窒素、リン、ヒ素、アンチモン又はビスマスであり、そしてＸは、ハロゲン又は擬ハロゲンであり、ｎ＝１〜１０、そしてｍ＝１〜２０）のハロゲン化物；
（ｌ）一般式ＥnＹm（式中、Ｅ＝Ｎ，Ｐ，Ａｓ，Ｓｂ及びＢｉ；Ｙ＝Ｓ，Ｓｅ，Ｔｅ及びＮＲ；ｎ＝１〜１０；ｍ＝１〜４０、そしてＲは水素、ハロゲン、５０個以下の非水素原子を含有するアルキル基、５０個以下の非水素原子を含有するアリール基、５０個以下の非水素原子を含有するシリル基又は５０個以下の非水素原子を含有するボリル基である）の、窒素、リン、ヒ素、アンチモン及びビスマスのカルコゲニド又はイミド；
（ｍ）式ＥnＹmＸq （式中、Ｅ＝Ｎ，Ｐ，Ａｓ，Ｓｂ及びＢｉ；Ｙ＝Ｏ，Ｓ，Ｓｅ，Ｔｅ及びＮＲ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基であり、ｎ＝１〜２０；ｍ＝１〜４０；ｑ＝１〜４０、そしてＲは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）を有する窒素、リン、ヒ素、アンチモン及びビスマスのカルコゲニル又はイミド化合物；
（ｎ）インタープニクトゲン；
（ｏ）一般式（ＮＰＲ2)x （式中、Ｒ＝ハロゲン又は５０個以下の非水素原子を含有するアルキル若しくはアリール基、そしてｘは少なくとも２である）のホスファゼン；
（ｐ）一般式Ａ（Ｅ）Ｘ3 （式中、Ａ＝Ｐ，Ａｓ、Ｓｂ及びＢｉ；Ｅ＝ＮＲ又はＣＲ2 ；Ｒは、水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基であり、そしてＸは、水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｑ）水素化プニクトゲン；
（ｒ）酸素、硫黄、セレン及びテルルの元素形；
（ｓ）インターカルコゲン；
（ｔ）式ＥnＸm（式中、Ｅ＝Ｏ，Ｓ，Ｓｅ及びＴｅ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基であり、ｎ＝１〜１０、ｍ＝１〜２０）の１個又はそれ以上のカルコゲン及び１個又はそれ以上のハロゲンを含有する化合物；
（ｕ）一般式ＥＯＸ2 （式中、Ｅ＝Ｏ，Ｓ，Ｓｅ及びＴｅ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｖ）一般式ＥＯＸ4 （式中、Ｅ＝Ｓ，Ｓｅ及びＴｅ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｗ）一般的ＥＯ2Ｘ2（式中、Ｅ＝Ｓ，Ｓｅ及びＴｅ；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｘ）硫黄−窒素化合物；
（ｙ）式Ｓ（ＮＲ）n Ｘm （式中、ｎ＝１〜３；ｍ＝０〜６；Ｘは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基であり、そしてＲは水素、ハロゲン、５０個以下の非水素原子を含有するアルキル基、５０個以下の非水素原子を含有するアリール基、５０個以下の非水素原子を含有するシリル基、５０個以下の非水素原子を含有するアルコキシ基、５０個以下の非水素原子を含有するアミノ基、５０個以下の非水素原子を含有するチオラト基又は５０個以下の非水素原子を含有するボリル基である）の化合物；
（ｚ）硫黄オキソ酸、ペルオキソ酸及びそれらのアニオンを含有する塩；
（ａａ）セレンオキソ酸、ペルオキソ酸及びそれらのアニオンを含有する塩；
（ｂｂ）テルルオキソ酸、ペルオキソ酸及びそれらのアニオンを含有する塩；
（ｃｃ）水素化カルコゲン；
（ｄｄ）フッ素、塩素、臭素、ヨウ素及びアスタチンの元素形；
（ｅｅ）インターハロゲン、そのカチオンを含有する塩及びそのアニオンを含有する塩；
（ｆｆ）ポリハロゲン化物カチオン及び／又はアニオンを含有する塩；
（ｇｇ）ホモレプチック又はヘテロレプチックハロゲンオキシド、そのカチオンを含有する塩及びそのアニオンを含有する塩；
（ｈｈ）オキソ酸又はそれらのアニオンを含有する塩；
（ｉｉ）ハロゲン化水素；
（ｊｊ）ＮＨ4 Ｆ，ＳＦ4 ，ＳｂＦ3 ，ＡｇＦ2 ，ＫＨＦ2 ，ＺｎＦ2 ，ＡｓＦ3 、及びＨＦ2-アニオンを含有する塩；
（ｋｋ）ヒドロハリック酸；
（ｌｌ）Ｈｅ，Ｎｅ，Ａｒ，Ｋｒ，Ｘｅ及びＲｎオキシド、それらのカチオンを含有する塩及びそれらのアニオンを含有する塩；
（ｍｍ）Ｈｅ，Ｎｅ，Ａｒ，Ｋｒ，Ｘｅ及びＲｎハライド、それらのカチオンを含有する塩及びそれらのアニオンを含有する塩；
（ｎｎ）Ｈｅ，Ｎｅ，Ａｒ，Ｋｒ，Ｘｅ及びＲｎカルコゲニルハライド、それらのカチオンを含有する塩及びそれらのアニオンを含有する塩；
（ｏｏ）水、アルコール、硫化水素及びチオールからなる群から選択された物質と、上記の化合物及び対応アニオンを含有するそれらの塩の何れかとを反応させることによって得られた生成物；
（ｐｐ）有機過酸化物；
（ｑｑ）水並びに
（ｒｒ）これらの混合物
からなる群から選択された化合物と接触させることを含んでなる、少なくとも１種又はそれ以上のオレフィンからなるポリマーの分子量分布を狭くする方法であって、この化合物が、得られるポリマー生成物の分子量分布が、この化合物の不存在下で得られるものよりも狭くなるのに十分な量で、存在する方法。
【請求項１３】  少なくとも１種の遷移金属成分の金属が、本明細書で定義した元素の周期表の第３族、第４族、第５族、第６族、第７族、第８族、第９族及び第１０族から選択させる請求項１２に記載の方法。
【請求項１４】  金属がチタン、ジルコニウム及びこれらの混合物からなる群から選択される請求項１３に記載の方法。
【請求項１５】  メタロセン触媒が担体に担持されている請求項１２に記載の方法。
【請求項１６】  ハロゲン化炭化水素を重合媒体に更に添加する請求項１２に記載の方法。
【請求項１７】  少なくとも１種又はそれ以上の有機金属化合物を重合媒体に更に添加する請求項１２に記載の方法。
【請求項１８】  有機金属化合物が有機アルミニウム化合物である請求項１７に記載の方法。
【請求項１９】  化合物が一酸化窒素、二酸化窒素、一酸化二窒素、三酸化二窒素、四酸化二窒素及び五酸化二窒素からなる群から選択された酸化窒素である請求項１２に記載の方法。
【請求項２０】  酸化窒素が一酸化二窒素である請求項１９に記載の方法。
【請求項２１】  化合物が１気圧の圧力及び２０℃で液体又は固体であり、これを０．００１：１〜１００：１の範囲内の、メタロセン触媒の遷移金属成分に対する化合物のモル比で重合媒体中に存在させる請求項１２に記載の方法。
【請求項２２】  化合物が１気圧の圧力及び２０℃で気体であり、これを１体積ｐｐｍ〜１０，０００体積ｐｐｍの範囲内の量で重合媒体中に存在させる請求項１２に記載の方法。
【請求項２３】  重合条件が気相である請求項１に記載の方法。